(57)【要約】【課題】１つの操作盤で管理者等が管理して行う入出庫や暗証番号を用いて管理する入出庫を簡単に切り替えて行うことができる駐車装置の操作盤を提供すること。【解決手段】格納位置の番号を指定して空ケージまたは車両搭載ケージを呼び出して入出庫する押釦式操作部１１を備えた駐車装置の操作盤１０で、暗証番号の設定・入力モードとケージ呼び出しモードとを切り替えるモード切替操作部１３を設けるとともに、このモード切替操作部１３が暗証番号の設定・入力モードに切り替えられたときに前記押釦式操作部１１を暗証番号の設定・入力部１２と兼用可能に構成してある。押釦操作部１１を暗証番号の設定・入力を行う暗証番号の設定・入力部１２と兼用でき、これによって１つの操作盤１０で管理者等が管理して行う入出庫や暗証番号を用いて管理する入出庫を簡単に切り替えて行う。【選択図】　　　図１
2004060365.tif 000002
【特許請求の範囲】
【請求項１】
格納位置の番号を指定して空ケージまたは車両搭載ケージを呼び出して入出庫する押釦式操作部を備えた駐車装置の操作盤において、
暗証番号の設定・入力モードとケージ呼び出しモードとを切り替えるモード切替操作部を設けたことを特徴とする駐車装置の操作盤。
【請求項２】
前記モード切替操作部を、暗証番号の設定・入力モードに切り替えられたときに前記押釦式操作部を暗証番号の設定・入力部と兼用可能に構成したことを特徴とする請求項１記載の駐車装置の操作盤。
【発明の詳細な説明】
【０００１】
【発明の属する技術分野】
この発明は駐車装置の操作盤に関し、１つの操作盤で管理者等が管理して行う入出庫と、暗証番号を用いて管理する入出庫とを簡単に切り替えて行うことができるようにしたもので、例えばエレベータ式やタワー式など機械式の駐車装置の操作盤として好適なものである。
【０００２】
【従来の技術】
従来から種々の形式の駐車装置が設置されており、その一つの機械式駐車装置であるエレベータ式駐車装置では、例えば図４に基本的な構造を示すように、建屋１の上部に設けた昇降駆動装置２によりチェーン２ａ等を介して建屋１内を昇降するエレベータケージ（エレベータ）３が備えられ、このエレベータケージ３の昇降経路４の左右両側部に複数段の車両格納棚５が設けられ、エレベータケージ３の昇降経路４の下端部に設けられた車両６の入出庫口８からエレベータケージ３に支持されたパレット７上に車両６が直接乗り込むことができるようになっている。
【０００３】
そして、車両６を入庫する場合には、エレベータケージ３を昇降経路４の最下端の入出庫口８まで移動させた後、車両６を直接エレベータケージ３上に乗り入れ、続いてエレベータケージ３を上昇させて空いている車両格納棚５の前面に停止させた後、エレベータケージ３上の車両６を図示しない受け渡し装置により車両格納棚５上に送り込んで格納する一方、車両格納棚５に格納された車両６を出庫させる場合には、出庫させる車両６が位置する車両格納棚５の前面にエレベータケージ３を昇降させて停止した後、車両６をエレベータケージ３上に取り込み、続いてエレベータケージ３を入出庫口８まで下降させ、エレベータケージ３上から車両６を直接出庫するようにしている。
【０００４】
通常、このようなエレベータ式駐車装置の運転は、操作盤を操作することによって行われており、時間貸し駐車場のように不特定多数のものが利用する場合には、管理者が操作することで入出庫を行うための操作盤が用いられ、押釦式操作部の押釦で格納位置の番号を指定して空ケージまたは車両搭載ケージを呼び出して入出庫するようにし、集合住宅の駐車場のように特定の者が利用する場合には、押釦式操作部のほか暗証番号の設定・入力部を別に設けておき、利用者それぞれに暗証番号を付与・登録し、暗証番号を入力した者だけが入出庫できるようにした操作盤が用いられている。
【０００５】
【発明が解決しようとする課題】
ところが、操作盤として暗証式とする場合には、暗証番号の設定・入力部を別に設けなければならず、２種類の操作盤を用意しておき、運転管理形式によっていずれかを設置するようにするため、量産効果によるコスト低減を図ることができないという問題がある。
【０００６】
また、駐車装置の管理を管理会社などで管理する場合もあり、異なる形式の操作盤を備えた駐車装置を管理する場合に、それぞれの操作盤の操作方法を覚える必要があり繁雑になるという問題もある。
【０００７】
この発明は、上記従来技術の有する課題に鑑みてなされたもので、１つの操作盤で管理者等が管理して行う入出庫や暗証番号を用いて管理する入出庫を簡単に切り替えて行うことができる駐車装置の操作盤を提供しようとするものである。
【０００８】
【課題を解決するための手段】
上記従来技術が有する課題を解決するため、この発明の請求項１記載の駐車装置の操作盤は、格納位置の番号を指定して空ケージまたは車両搭載ケージを呼び出して入出庫する押釦式操作部を備えた駐車装置の操作盤において、暗証番号の設定・入力モードとケージ呼び出しモードとを切り替えるモード切替操作部を設けたことを特徴とするものである。
【０００９】
この駐車装置の操作盤によれば、格納位置の番号を指定して空ケージまたは車両搭載ケージを呼び出して入出庫する押釦式操作部を備えた駐車装置の操作盤で、暗証番号の設定・入力モードとケージ呼び出しモードとを切り替えるモード切替操作部を設けるようにしてあり、モード切替操作部で切り替えることで１つの操作盤で管理者等が管理して行う入出庫や暗証番号を用いて管理する入出庫を簡単に切り替えて行うことができるようになる。
【００１０】
また、この発明の請求項２記載の駐車装置の操作盤は、前記モード切替操作部を、暗証番号の設定・入力モードに切り替えられたときに前記押釦式操作部を暗証番号の設定・入力部と兼用可能に構成したことを特徴とするものである。
【００１１】
この駐車装置の操作盤によれば、前記モード切替操作部を、暗証番号の設定・入力モードに切り替えられたときに前記押釦式操作部を暗証番号の設定・入力部と兼用可能に構成してあり、モード切替操作部で切り替えることで格納位置を指定する押釦操作部を暗証番号の設定・入力を行う暗証番号の設定・入力部と兼用でき、これによって１つの操作盤で管理者等が管理して行う入出庫や暗証番号を用いて管理する入出庫を簡単に切り替えて行うことができるようになる。
【００１２】
【発明の実施の形態】
以下、この発明の一実施の形態について図面に基づき詳細に説明する。
図１〜図３はこの発明の駐車装置の操作盤の一実施の形態にかかり、図１は全体の概略構成図および押釦式操作部の他の一実施の形態の概略構成図、図２は暗礁方式の入出庫口の操作手順の説明図、図３はケージ方式の入出庫口の操作手順の説明図である。。
【００１３】
この駐車装置の操作盤（以下、単に操作盤とする）１０は、例えば図１〜３に示すように、３２台分の駐車スペースを備えた機械式駐車装置の一つであるエレベータ式駐車装置に適用され、通常の管理者による運転（ケージ方式の運転）と暗証番号による暗証方式の運転とに切り替えて用いられる。
【００１４】
この操作盤１０は、３２台分の駐車スペースに対応するケージまたはパレットを呼び出す押釦式操作部１１を備えており、「１」から「３１」までの３１個の数字キーで構成されている。
【００１５】
この押釦式操作部１１は、図１（ａ）に示すように、「１」から「３１」までの３１個の数字キーが連続して配置されたり、同図（ｂ）に示すように、暗証方式の運転の際の暗証番号の設定・入力部１２に兼用する「１」から「１０」までの１０個の数字キーだけを離して配置するようにする。
【００１６】
また、この操作盤１０には、通常の管理者による運転（ケージ方式の運転）と暗証番号による暗証方式の運転とを切り替えるモード切替操作部を構成する運転切替スイッチ１３が設けてあり、暗証方式に切り替えた時に、押釦式操作部１１の「１」から「１０」までの１０個の数字キーが暗証番号の設定・入力部１２の「１」から「０」までの１０個の数字キーとして機能するように操作盤１０に内蔵されたマイクロコンピュータなどの演算処理装置で切り替えられるようになっている。
【００１７】
さらに、暗証方式とする場合の暗証番号を設定登録するため、操作盤１０に暗証エントリースイッチ１４が設けられ、ＯＮにしたときに、操作盤１０に内蔵されたマイクロコンピュータなどの演算処理装置に暗証番号を設定登録して記憶できるようになっている。
【００１８】
そして、これら押釦式操作部１１により設定したケージ番号ある呼び番号や入出庫口に移動されたケージ番号を表示する着床番号の表示装置１５が設けられ、暗証方式とする場合には、暗証番号の表示装置１６と兼用されるようになっている。
【００１９】
また、暗証番号の設定登録の際に用いる暗証の訂正ボタン１７、表示装置１６の入切ボタン１８、設定するＳＥＴボタン１９が設けてある。
【００２０】
さらに、この操作盤１０には、駐車装置が運転可能であるかを自動検出する安全確認ボタン２０や出庫警報ボタン２１、非常停止ボタン２２などのほか、自動運転と手動運転を切り替える運転モードスイッチ２３、手動運転用の扉の操作ボタン２４，２５，２６、パレットを操作する操作ボタン２７，２８，２９やケージ連動のＯＮ−ＯＦＦスイッチ３０が設けてある。
【００２１】
このように構成した操作盤１０による駐車装置の運転は次のようにして行われる。
【００２２】
（Ａ）　暗証方式で入出庫する場合（図２参照）
予め、暗証エントリスイッチ１４をＯＮにするとともに、運転切替スイッチ１３を暗証方式に切り替えて押釦式操作部１１の数字キーを暗証番号の設定・入力部１２と兼用するようにし、暗証設定登録用の表示入・切ボタン１８を入りにして訂正ボタン１７とＳＥＴボタン１９を組み合わせて例えば４桁の暗証番号を登録しておく。
【００２３】
そして、入庫する場合には、
１．　利用者が安全確認ボタン２０を押して安全に運転できる状態であることを確認する。
２．　暗証番号の設定・入力部１２を構成する押釦式操作部１１の「１」から「１０」間での数字キーを用いて、自分の暗証番号を入力する。
この後、通常の入庫と同様に、指定されているパレット番号を押釦式操作部１１から入力するか、空パレットの呼出ボタンを押して入出庫口に来たパレットに入庫する。
【００２４】
一方、出庫する場合には、
１．　利用者が安全確認ボタン２０を押して安全に運転できる状態であることを確認する。
２．　暗証番号の設定・入力部１２を構成する押釦式操作部１１の「１」から「１０」間での数字キーを用いて、自分の暗証番号を入力する。
この後、通常の出庫と同様に、指定されているパレット番号を押釦式操作部１１から入力するか、格納したパレットのパレット番号を入力して入出庫口に来たパレット上の車両を出庫する。
【００２５】
（Ｂ）　ケージ方式で入出庫する場合（図３参照）
予め、管理者において、運転切替スイッチ１３でケージ方式に切り替えておく。
【００２６】
そして、入庫する場合には、
１．　利用者あるいは管理者が安全確認ボタン２０を押して安全に運転できる状態であることを確認する。
２．　指定されているパレット番号を押釦式操作部１１から入力するか、空パレットの呼出ボタンを押して入出庫口に来たパレットに入庫する。
【００２７】
一方、出庫する場合には、
１．　利用者あるいは管理者が安全確認ボタン２０を押して安全に運転できる状態であることを確認する。
２．　指定されているパレット番号を押釦式操作部１１から入力するか、格納したパレットのパレット番号を入力して入出庫口に来たパレット上の車両を出庫する。
【００２８】
以上のように、このような操作盤１０によれば、１種類の操作盤を用意するだけでケージ方式だけや暗証方式だけで操作する場合の操作盤としても使用できるとともに、ケージ方式と暗証方式とを切り替えて使用する場合の操作盤としても使用することができ、コスト低減を図ることができる。
【００２９】
また、管理会社が複数箇所の駐車装置を管理する場合にも、駐車装置によらず同一の操作盤にすることができ、それぞれの操作方法を覚えることなく、簡単に対応することができる。
【００３０】
なお、上記実施の形態では、駐車装置としてエレベータ式駐車装置を例に説明したが、これに限らず、他のタワー式駐車装置、多層循環式駐車装置などの操作盤で操作する駐車装置に広く適用することができるものである。
【００３１】
【発明の効果】
以上、一実施の形態とともに具体的に説明したようにこの発明の請求項１記載の駐車装置の操作盤によれば、格納位置の番号を指定して空ケージまたは車両搭載ケージを呼び出して入出庫する押釦式操作部を備えた駐車装置の操作盤で、暗証番号の設定・入力モードとケージ呼び出しモードとを切り替えるモード切替操作部を設けて構成したので、モード切替操作部で切り替えることで１つの操作盤で管理者等が管理して行う入出庫や暗証番号を用いて管理する入出庫を簡単に切り替えて行うことができる。
【００３２】
また、この発明の請求項２記載の駐車装置の操作盤によれば、前記モード切替操作部を、暗証番号の設定・入力モードに切り替えられたときに前記押釦式操作部を暗証番号の設定・入力部と兼用可能に構成したので、モード切替操作部で切り替えることで格納位置を指定する押釦操作部を暗証番号の設定・入力を行う暗証番号の設定・入力部と兼用することができ、これによって１つの操作盤で管理者等が管理して行う入出庫や暗証番号を用いて管理する入出庫を簡単に切り替えて行うことができる。
【００３３】
また、これらの発明により、操作盤の種類を減らすことができ、コスト低減を図ることができるとともに、操作方法を統一できるので、多くの駐車装置を管理する場合にも容易に管理することができる。
【図面の簡単な説明】
【図１】この発明の駐車装置の操作盤の一実施の形態にかかる全体の概略構成図および押釦式操作部の他の一実施の形態の概略構成図である。
【図２】この発明の駐車装置の操作盤の一実施の形態にかかる暗証方式の入出庫口の操作手順の説明図である。
【図３】この発明の駐車装置の操作盤の一実施の形態にかかるケージ方式の入出庫口の操作手順の説明図である。
【図４】この発明が適用される駐車装置の一例のエレベータ式駐車装置の概略構成図である。
【符号の説明】
１０　駐車装置の操作盤
１１　押釦式操作部
１２　暗証番号の設定・入力部
１３　運転切替スイッチ（モード切替操作部）
１４　暗証エントリスイッチ
１５　ケージ番号などの表示装置
１６　暗証番号の表示装置
１７　訂正ボタン
１８　入・切ボタン
１９　ＳＥＴボタン
２０　安全確認スイッチ
２１　出庫警報ボタン
２２　非常停止ボタン
２３　運転モードスイッチ
２４，２５，２６　扉の操作ボタン
２７，２８，２９　パレットの操作ボタン
３０　ケージ連動のＯＮ−ＯＦＦスイッチ
１　建屋
２　昇降駆動装置
２ａ　チェーン
３　エレベータケージ
４　昇降経路
５　車両格納棚
６　車両
７　パレット
８　入出庫口
９　ターンテーブル
【図１】
2004060365.tif 000003
【図２】
2004060365.tif 000004
【図３】
2004060365.tif 000005
【図４】
2004060365.tif 000006